(57)【要約】【課題】収納物の長さを容易迅速に知ることができる容器を提供する。【解決手段】発泡性合成樹脂からなり、上端開口部２Ａから収納物Ｆ１，Ｆ２，Ｆ３を収納可能な略矩形状の容器本体２を備え、容器本体２は、底壁２１と底壁２１の４辺から上方に立ち上げられた４つの側壁２２Ｌ，２２Ｒ，２３Ｆ，２３Ｂとを備え、４つの側壁２２Ｌ，２２Ｒ，２３Ｆ，２３Ｂのうちの少なくとも１つの側壁の上端に、容器本体内に収納された収納物Ｆ１，Ｆ２，Ｆ３の長さを測定するための目盛り２６を設けた。【選択図】図２
0003193343.tif 000002
【実用新案登録請求の範囲】
【請求項１】
発泡性合成樹脂からなり、上端開口部から収納物を収納可能な多角形状の容器本体を備え、前記容器本体は、底壁と該底壁の各辺から上方に立ち上げられた複数の側壁とを備え、
前記複数の側壁のうちの少なくとも１つの側壁の上端に、容器本体内に収納された収納物の長さを測定するための目盛りを設けたことを特徴とする容器。
【請求項２】
前記容器本体は、矩形状の底壁と該底壁の４辺から上方に立ち上げられた４つの側壁とを備えてなり、前記目盛りは、前記対向する一対の側壁それぞれの上面に設けられ、該目盛りが前記容器本体の発泡成形時に一体成形されることを特徴とする請求項１に記載の容器。
【請求項３】
前記目盛りは、前記側壁の上面の長手方向に沿って所定間隔を置いて上方に突出成形された目盛り部と、該目盛り部のうちの特定の目盛り部において所定長さを表示する数字が上方に突出成形された数字部とからなっていることを特徴とする請求項２に記載の容器。
【請求項４】
前記目盛り部は、前記上面の長手方向一端側に原点となる原点目盛り部を有し、該原点目盛り部が、当該目盛り部が形成されている側壁に対し、長手方向一端側で直交する他の側壁の内面と当該長手方向において一致するように設けられていることを特徴とする請求項３に記載の容器。
【考案の詳細な説明】
【技術分野】
【０００１】
本考案は、発泡性合成樹脂からなり、上端開口部から例えば魚や野菜などの収納物を収納可能な多角形状の容器本体を備えた容器に関する。
【背景技術】
【０００２】
かかる容器においては、軽量でありながら保温性及び所定の強度を有していることから、例えば収納物の一例としての魚を氷とともに容器内に収納して、船から市場まであるいは市場から店頭までの運搬に用いられる。運搬された容器は、市場での競りや店頭での販売のために並べられる。そして、容器の上端開口部から魚を見ることができるように、蓋体は装着しない状態で容器が置かれる。
【０００３】
ところで、市場での競りや店頭での販売時には、魚の長さを知りたい場合がある。その場合には、メジャー等を用いて魚の寸法を測ることが行われているが、寸法測定が手間のかかる煩わしいものである。
【０００４】
因みに、魚の長さを測れるものとして、例えば釣り用バケツに魚の長さを測る目盛りが付されたものが提案されている。この釣り用バケツは、内部に魚を収納する収納部が形成される容器本体を有している。該容器本体は、底面部、底面部の外周縁から上方に立ち上げられた側面部、側面部の上端を覆う上面部を備えている。該上面部は、ファスナーで開閉自在に構成され、開放されて形成される開口部の一側に沿って魚の長さを測る目盛りが付されている（例えば特許文献１参照）。
【先行技術文献】
【特許文献】
【０００５】
【特許文献１】特開２００６−６７８８０号公報（図２，図５参照）
【考案の概要】
【考案が解決しようとする課題】
【０００６】
上記特許文献１では、上面部の開口部に付された目盛りを用いて魚の長さを測ることができるものの、測り終えた魚は収納部内に収納されてしまうため、そのような容器を、市場での競りや店頭での販売の時に用いると、魚の長さを知りたい場合に、上面部の目盛りまで魚を一々移動して長さ測定を行わなければならず、使用し難いものであった。また、魚が見えるように上面部のファスナーを開いたままにすると、目盛りが使えない不都合があり、改善の余地があった。
【０００７】
本考案が前述の状況に鑑み、解決しようとするところは、収納物の長さを容易迅速に知ることができる容器を提供することを課題とする。
【課題を解決するための手段】
【０００８】
本考案の容器は、前述の課題解決のために、発泡性合成樹脂からなり、上端開口部から収納物を収納可能な多角形状の容器本体を備え、前記容器本体は、底壁と該底壁の各辺から上方に立ち上げられた複数の側壁とを備え、前記複数の側壁のうちの少なくとも１つの側壁の上端に、容器本体内に収納された収納物の長さを測定するための目盛りを設けたことを特徴としている。
【０００９】
かかる構成によれば、容器本体内に収納された収納物の長さを知りたい場合には、例えば収納物を容器本体内に側壁の長手方向（辺方向）に沿って配置し、その長さを側壁の上端に設けた目盛りを読み取ることによって、収納物の長さを知ることができる。
【００１０】
また、本考案の容器は、前記容器本体が、矩形状の底壁と該底壁の４辺から上方に立ち上げられた４つの側壁とを備えてなり、前記目盛りは、前記対向する一対の側壁それぞれの上面に設けられ、該目盛りが前記容器本体の発泡成形時に一体成形されていてもよい。
【００１１】
上記構成によれば、目盛りが、対向する一対の側壁それぞれの上面に設けられているので、一対の側壁のうちの手前側の側壁の上面に設けられた目盛りを見ることによって、収納物の長さを迅速に測定することができる。また、目盛りが容器本体の発泡成形時に一体成形されるため、別体形成した目盛りを容器本体に取り付ける際の取付作業を不要にすることができるだけでなく、取り付けた目盛りが外れてしまうといったトラブルがない。
【００１２】
また、本考案の容器は、前記目盛りが、前記側壁の上面の長手方向に沿って所定間隔を置いて上方に突出成形された目盛り部と、該目盛り部のうちの特定の目盛り部において所定長さを表示する数字が上方に突出成形された数字部とからなっていてもよい。
【００１３】
上記構成によれば、目盛り部のうちの特定の目盛り部において所定長さを表示する数字が上方に突出成形された数字部を見れば、収納物の長さを迅速かつ間違えることがなく知ることができる。
【００１４】
また、本考案の容器は、前記目盛り部が、前記上面の長手方向一端側に原点となる原点目盛り部を有し、該原点目盛り部が、当該目盛り部が形成されている側壁に対し、長手方向一端側で直交する他の側壁の内面と当該長手方向において一致するように設けられていてもよい。
【００１５】
上記構成によれば、原点目盛り部が、当該目盛り部が形成されている側壁に対し、長手方向一端側で直交する他の側壁の内面と当該長手方向において一致するように設けられていることによって、収納物の頭部前端が該直交する他の側壁の内面に当接している状態であれば、収納物の尾部後端に対応する目盛りのみを確認するだけで、収納物の長さを迅速かつ間違えることがなく知ることができる。
【考案の効果】
【００１６】
本考案によれば、少なくとも１つの側壁の上端に、容器本体内に側壁の長手方向（辺方向）に沿って収納された収納物の長さを測定するための目盛りを設けることによって、収納物の長さを容易迅速に知ることができる容器を提供することができる。
【図面の簡単な説明】
【００１７】
【図１】本考案に係る容器を示し、（ａ）はそれの正面図、（ｂ）はそれの側面図である。
【図２】同容器を示す平面図である。
【図３】同容器を示す底面図である。
【図４】（ａ）は同容器の上面の目盛りの要部の拡大平面図、（ｂ）は図４（ａ）におけるＡ−Ａ線断面図である。
【図５】（ａ），（ｂ）は、本考案に係る容器の目盛りの別の形態を示す要部の平面図である。
【考案を実施するための形態】
【００１８】
以下、本考案に係る容器の一実施形態を、図面に基づいて説明する。
【００１９】
図１〜図３は、魚を収納することができる箱型状の容器１を示している。この容器１は、上端に開口部２Ａを有する発泡性合成樹脂でなる容器本体２から構成されている。尚、発泡性合成樹脂としては、特に限定されないが、例えば発泡ポリスチレン、発泡ポリエチレン、発泡ポリプロピレン等の各種発泡性合成樹脂が利用できる。尚、図において、容器１の短辺方向を左右方向ＬＲとし、容器１の長辺方向を前後方向ＦＢとする。また、容器１には魚とともに氷を入れて保冷することになる。また、ここでは、魚を収納する容器を示しているが、野菜や各種の食品などを収納する容器であってもよい。
【００２０】
容器本体２は、平面視略長方形状に形成された板状の底壁２１と、底壁２１の外周縁から上方に立ち上げられた本体用側壁２０とを備えている。
【００２１】
底壁２１は、フラット面に形成された底壁本体２１ａと、底壁本体２１ａの外側部分に下方に突出するとともに同一幅の矩形枠状に構成された突出部２１Ｔとを備え、この突出部２１Ｔのフラットな下面２１ｔが、床面等に接する。前記底壁本体２１ａのフラット面は、図３に示すように、突出部２１Ｔの内側に位置する内側フラット面２１１と、突出部２１Ｔの外側に位置する外側フラット面２１２とを備えている。
【００２２】
本体用側壁２０は、底壁２１の全周に亘る矩形枠状に形成され、底壁２１の一対の長辺である左右の縁部に上方に立ち上げられた左右側壁２２Ｌ，２２Ｒと、底壁２１の一対の短辺である前後の縁部から上方に立ち上げられた前後側壁２３Ｆ，２３Ｂとを備え、これら４つの側壁２２Ｌ，２２Ｒ，２３Ｆ，２３Ｂの上部に魚を出し入れするための前記上端開口部２Ａが形成されて構成されている。
【００２３】
左右側壁２２Ｌ，２２Ｒの内面２２Ａ，２２Ａは、上端から底壁２１の上面２１Ｕよりも少し上側箇所までの間に下側ほど内側となる第１傾斜面２２ａ，２２ａと、該第１傾斜面２２ａ，２２ａの下端から底壁２１の上面２１Ｕまでの間に下側ほど内側となる第２傾斜面２２ｂ，２２ｂとを備えている。前記第１傾斜面２２ａ，２２ａの傾斜角度は、１°に設定している。また、第２傾斜面２２ｂ，２２ｂの傾斜角度は、４５°に設定している。
【００２４】
前後側壁２３Ｆ，２３Ｂの内面２３Ａ，２３Ａは、上端から底壁２１の上面２１Ｕよりも少し上側箇所までの間に下側ほど内側となる第１傾斜面２３ａ，２３ａと、該第１傾斜面２３ａ，２３ａの下端から底壁２１の上面２１Ｕまでの間に下側ほど内側となる第２傾斜面２３ｂ，２３ｂとを備えている。前記第１傾斜面２３ａ，２３ａの傾斜角度は、１°に設定している。また、第２傾斜面２３ｂ，２３ｂの傾斜角度は、４５°に設定している。
【００２５】
前後側壁２３Ｆ，２３Ｂそれぞれの左右方向中央部でかつ下部に、指掛け用凹部２４が形成されている。この指掛け用凹部２４は、前後側壁２３Ｆ，２３Ｂの外面２３ｃよりも内側に離間したフラット面２４Ａと、フラット面２４Ａの左右端から前後側壁２３Ｆ，２３Ｂの外面２３ｃまでを繋ぐフラットな左右の横側面２４Ｂ，２４Ｂと、フラット面２４Ａの上端から外側に延びて前後側壁２３Ｆ，２３Ｂの外面２３ｃまでを繋ぐ水平端面２４Ｃの４つの面から構成され、水平端面２４Ｃに指（例えば、人差し指、中指、薬指、小指の４本）を掛けて容器１を持ち上げることができる。
【００２６】
指掛け用凹部２４の左右幅は、具体的には、４本の指（ほとんどの指）を掛けることができるように略１０ｃｍの大きさの幅に設定しているが、５ｃｍ〜１５ｃｍの間の大きさの幅に設定してもよい。また、指掛け用凹部２４の内側への深さは、略２ｃｍに設定しているが、１ｃｍ〜３ｃｍの間の任意の値に設定してもよい。
【００２７】
底壁２１の４箇所には、容器１内に入れている保冷用の氷が解けた水を外部へ排出するための排出孔２５が形成されている。
【００２８】
排出孔２５は、左右側壁２２Ｌ，２２Ｒに隣接する位置に形成されている。各排出孔２５は、具体的には、左右側壁２２Ｌ，２２Ｒの厚み方向外側に向かって形成されてから下方に向かって開口されることによって、断面がクランク型に形成されている。
【００２９】
また、左右側壁２２Ｌ，２２Ｒの上面には、図２及び図４（ａ），（ｂ）に示すように、容器本体２内に辺方向に沿って収容された魚の長さを測定するための目盛り２６が設けられている。左側壁２２Ｌに設けられた目盛り２６は、後側壁２３Ｂ側を原点とし、右側壁２２Ｒに設けられた目盛り２６は、前側壁２３Ｆ側を原点としている。
【００３０】
目盛り２６は、図示していない金型に目盛り形成用のプレート（図示せず）をビス止めし、容器１の発泡成形時に一体成形される。プレートは、左右側壁２２Ｌ，２２Ｒの長手方向の長さよりも少し短い長さを有している。また、プレートの幅は、左右側壁２２Ｌ，２２Ｒの厚みの略半分の寸法に設定されている。このように一体成形された目盛り２６は、具体的には、辺方向に所定間隔を置いて上方に突出成形された目盛り部２７と、該目盛り部２７のうちの特定の目盛り部において所定長さを表示する数字が上方に突出成形された数字部２８とから構成されている。
【００３１】
目盛り部２７は、左右側壁２２Ｌ，２２Ｒの内面２２Ａに接近した位置に形成され、数字部２８は、左右側壁２２Ｌ，２２Ｒの厚み方向中央部付近に形成されている。また、プレートにて成形される目盛り２６は、左右側壁２２Ｌ，２２Ｒの上面２２Ｓからプレートの厚み分だけ、図４（ｂ）に示すように、下方に凹んだ平面２６Ａを有する形状となり、該平面２６Ａから目盛り部２７及び数字部２８が上方に突出する状態となって視認することができる。前記下方に凹んだ平面２６Ａを有することから、左右側壁２２Ｌ，２２Ｒの上面２２Ｓとの間に段部２６Ｄを有するが、この段部２６Ｄが、上方側ほど外側となる傾斜面に形成されていることから、容器本体２に対して離れた位置から視認した際において一段低くなっている数字部２８を段部２６Ｄが遮ることがなく容易に視認することができる。また、容器本体２における目盛り２６の内側端部２６Ｔには、前記のような段部２６Ｄが形成されていないため、内側端部２６Ｔが欠け易いといったこともない。
【００３２】
目盛り部２７は、図４（ａ），（ｂ）に示すように、左右側壁２２Ｌ，２２Ｒ（図４では右側壁２２Ｒのみ図示している）の上面の長手方向一端側に原点となる原点目盛り部２７ａと、所定間隔（図では５ｃｍ）毎に半球状に突出する第１目盛り部２７ｂと、原点目盛り部２７ａと第１目盛り部２７ｂとの間及び隣り合う第１目盛り部２７ｂ，２７ｂ同士間に所定間隔（図では１ｃｍ）毎に前記第１目盛り部よりも小径な半球状に突出する第２目盛り部２７ｃとを備えている。尚、原点目盛り部２７ａは、第１目盛り部２７ｂと同じ大きさの半球状に突出している。
【００３３】
また、原点目盛り部２７ａは、該原点目盛り部２７ａを有する目盛り部２７が形成されている右側壁２２Ｒに対し、長手方向一端側で直交する他の側壁となる前側壁２３Ｆの内面２３Ａの第１傾斜面２３ａと当該右側壁２２Ｒの長手方向（容器本体２の前後方向）において一致するように形成されている。つまり、容器本体２における原点目盛り部２７ａの前後位置と、容器本体２における前側壁２３Ｆの内面２３Ａの第１傾斜面２３ａの前後位置とが容器本体２の前後方向で一致するように、原点目盛り部２７ａが形成されている。
【００３４】
数字部２８は、原点を示す第１数字部２８ａと、所定間隔（図では、１０ｃｍ）毎に突出形成された第２数字部２８ｂとから構成されている。
【００３５】
このように目盛り２６を備えている容器１において、容器１内に左右側壁２２Ｌ，２２Ｒの長手方向（辺方向）に沿って収納された魚の頭部前端位置と魚の尾部後端位置とを目盛り２６で確認する（読み取る）ことによって、魚の長さを知ることができる。例えば図２において容器１の左下に収納されている魚Ｆ１は、頭部前端が前側壁２３Ｆの内面２３Ａに当接して右側壁２２Ｒの上面に設けられた目盛り２６の原点０に一致している。従って、尾部後端の位置が数字の３０の二つ手前の２８のところに一致しているため、魚Ｆ１の長さが２８ｃｍであることがわかる。同様に、図２において容器１の右上に収納されている魚Ｆ２は、頭部前端が後側壁２３Ｂの内面２３Ａに当接して左側壁２２Ｌの上面に設けられた目盛り２６の原点０に一致している。従って、尾部後端の位置が数字の３０のところに一致しているため、魚Ｆ２の長さが３０ｃｍであることがわかる。
【００３６】
また、図２において容器１の右下に収納されている魚Ｆ３は、頭部前端が左側壁２２Ｌの上面に設けられた目盛り２６の数字の５０よりも二つ多い５２に一致しており、尾部後端の位置が数字の３０に一致しているため、５２−３０＝２２となり、魚Ｆ３の長さが２２ｃｍであることがわかる。
【００３７】
従って、目盛り２６が、対向する一対の左右側壁２２Ｌ，２２Ｒの上面に設けられているので、一対の側壁２２Ｌ，２２Ｒの近い側の側壁の上面に設けられた目盛り２６を読み取ることによって、魚の長さを迅速かつ間違えることなく測定することができる。また、目盛り２６が容器本体２の発泡成形時に一体成形されているため、別体形成した目盛りを容器本体２に取り付けるための取付作業を不要にすることができるだけでなく、目盛りが外れてしまうといったトラブルがない。
【００３８】
また、目盛り部のうちの特定の目盛り部において所定長さを表示する数字が上方に突出成形された数字部２８を見れば、魚の長さを迅速かつ間違えることがなく知ることができる。
【００３９】
また、一方の側壁２２Ｒの上面の原点目盛り部２７ａが、該右側壁２２Ｒと長手方向（辺方向）一端側で直交する他の側壁である前側壁２３Ｆの内面２３Ａと右側壁２２Ｒの長手方向（前後方向）において一致するように形成されているので、図２に示すように、魚Ｆ１の頭部前端が該直交する前側壁２３Ｆの内面２３Ａに当接している状態であれば、魚Ｆ１の尾部後端に対応する目盛りのみを読み取る（確認する）だけで、魚の長さを迅速かつ間違えることなく知ることができる。
【００４０】
尚、本考案に係る容器は、前記実施形態に限定されるものではなく、本考案の要旨を逸脱しない範囲で種々の変更が可能である。
【００４１】
前記実施形態では、前側壁２３Ｆの内面２３Ａを原点とし、後側壁２３Ｂに向かって寸法が大きくなるように寸法を付したが、図５（ａ）に示すように、例えば右側壁２２Ｒの長手方向中央部が前後側壁のいずれからも３０ｃｍ離間した位置となり、その３０ｃｍを境界として前側と後側とに寸法が増大するような目盛り２６にしておいてもよい。この場合、前側壁２３Ｆの内面２３Ａに頭部前端が当接している図の左側の魚Ｆ４は、３７．５ｃｍの長さであることがわかり、後側壁２３Ｂの内面２３Ａに頭部前端が当接している図の右側の魚Ｆ５は、３５ｃｍの長さであることがわかる。要するに、魚が前側壁２３Ｆの内面２３Ａ及び後側壁２３Ｂの内面２３Ａのいずれに当接する状態であっても、一つの目盛り２６で容易に魚の長さを迅速に知ることができる。また、図５（ｂ）に示すように、寸法を０から３０（ここでは３０であるが、数値としてはどのような数値でもよい）までの間の目盛り部２７及び数字部２８を省略した目盛り２６であってもよい。尚、図５（ａ），（ｂ）では、目盛り部２７を右側壁２２Ｒの厚み方向に沿った目盛り線にしている。
【００４２】
また、前記実施形態では、目盛り２６を容器本体２の発泡成形時に一体成形したが、別体形成した目盛りを容器本体２に取り付けてもよい。この場合、金属板、合成樹脂板、木製板などの他、紙製のシールなどで構成することが考えられる。
【００４３】
また、前記実施形態では、容器本体２を平面視略長方形状に構成したが、平面視略正方形状に構成してもよいし、三角形や菱型などの多角形に構成してもよい。
【００４４】
また、前記実施形態では、左右側壁２２Ｌ，２２Ｒの上面の両方に目盛り２６を設けたが、一方の側壁２２Ｌ又は２２Ｒのみに設けて実施してもよい。また、前後側壁２３Ｆ，２３Ｂの一方又は両方にも目盛り２６を設けて、魚の幅の大きさなども測れるようにしてもよい。
【符号の説明】
【００４５】
１…容器、２…容器本体、２Ａ…開口部、２１…底壁、２１Ｔ…突出部、２１Ｕ…上面、２１ａ…底壁本体、２１ｔ…下面、２２Ａ…内面、２２Ｌ，２２Ｒ…左右側壁、２２ａ，２２ｂ…傾斜面、２３Ａ…内面、２３Ｆ，２３Ｂ…前後側壁、２３ａ，２３ｂ…傾斜面、２３ｃ…外面、２４…指掛け用凹部、２４Ａ…フラット面、２４Ｂ…横側面、２４Ｃ…水平端面、２５…排出孔、２６…目盛り、２６Ａ…平面、２０…本体用側壁、２７…目盛り部、２７ａ…原点目盛り部、２７ｂ第１目盛り部、２７ｃ…第２目盛り部、２８…数字部、２８ａ…第１数字部、２８ｂ…第２数字部、２１１…内側フラット面、２１２…外側フラット面、Ｆ１〜Ｆ５…魚
【図１】
0003193343.tif 000003
【図２】
0003193343.tif 000004
【図３】
0003193343.tif 000005
【図４】
0003193343.tif 000006
【図５】
0003193343.tif 000007